(57)【要約】【課題】簡易な機構で、かつ、相互の同期も簡単かつ確実に確保でき、短時間で効率よく、長尺シート、もしくは気泡シートのような厚手の長尺シートを九十九折りして、収容することができるシートの九十九折り装置を提供する。【解決手段】折り返し幅で往復移動するローラ１６ａ，１６ｂを対で設け、この対のローラ１６ａ，１６ｂ間に長尺シート２を通過させ、ローラ１６ａ，１６ｂの移動で長尺シート２は九十九折りされ、かつ十九折りされた長尺シート２の積層する折り返えし端部を押さえようにしたシートの九十九折り装置において、対のローラ１６ａ，１６ｂは振子に設け、長尺シート２の折り返えし端部を押さえる押さえ機構は、長尺シート２の左右幅方向に伸びる押え板体２７と、この押え板体２７を跳ね上げる回動軸２９端の回動アーム２８からなり、回動アーム２８はその端部を振子のローラ設置部に係脱して脱した際に傾倒し、その結果、押え板体２７が傾倒して長尺シート２の折り返えし端部を上から押さえる。【選択図】図１
2009102095.tif 000002
【特許請求の範囲】
【請求項１】
折り返し幅で往復移動するローラを対で設け、この対のローラ間に長尺シートを通過させ、ローラの移動で長尺シートは九十九折りされ、かつ九十九折りされた長尺シートの積層する折り返えし端部を押さえようにしたシートの九十九折り装置において、
対のローラは振子に設け、長尺シートの折り返えし端部を押さえる押さえ機構は、長尺シートの左右幅方向に伸びる押え板体と、この板体を跳ね上げる回動軸端の回動アームからなり、回動アームはその端部を振子のローラ設置部に係脱して脱した際に傾倒し、その結果、押え板体が傾倒して長尺シートを折り返えし端部を上から押さえることを特徴とするシートの九十九折り装置。
【請求項２】
対のローラは振り動く振子アームの先端にこれを設け、振子アームの軸支部の上方にガイドローラを設置する請求項１記載のシートの九十九折り装置。
【発明の詳細な説明】
【技術分野】
【０００１】
本発明は、長尺シート、もしくは気泡シートのような厚手の長尺シートを九十九折して積層するシートの九十九折り装置に関する。
【背景技術】
【０００２】
フィルムやシートのような長尺物（以下、「長尺シート」と記す）は、製造・加工時や製品化後の運搬や保管等の形態としては、多くはコイル状に巻回し巻物状に収容して小型化するものである。
【０００３】
このように、コイル状に巻回し巻物状に収容して小型化するための装置としては、いくつかの種類のものが知られており、例えば、長尺シートを巻物にするための装置として自動ワインダー装置がある。
【０００４】
自動ワインダー装置は、紙管を保持し回転駆動させて長尺シートを巻き付ける紙管固定軸と、所定量の巻取が完成したところで長尺シートを切断するカッターと、切断された長尺シートの新しい端を別の紙管に巻き付けるためのタッチロールとを備えている。
【０００５】
また、所定量の巻物を形成した後、速やかに別の紙管を軸とする巻取への移行を可能にするため複数の紙管を軸支して、回転するターレットを有するターレット式に構成した自動ワインダー装置も知られている。この装置によれば、ワインダーの巻き換え、すなわち紙管の交換に要する時間を短縮し、巻取工程全体の所要時間を短縮することができる。
【０００６】
しかし、長尺シートが比較的短い場合、所定量の巻物を形成した後の別の紙管への取換え頻度が増加するので、前記のようにターレットを用いても巻取工程全体の所要時間が増加する。
【０００７】
また、真空成形により多数のキャップを与えたキャップフィルムと平坦なフィルムとを貼り合わせ、キャップ内に空気が密閉された空気室を多数形成してなるプラスチック気泡シート（以下、「気泡シート」と記す）など、通常のフィルムと比較して著しく厚手な長尺シートを巻物にする場合にも、同様の問題が生じる。
【０００８】
すなわち、このような厚手の長尺シートでは、自動ワインダー装置で可能な最大径まで巻き取っても、巻き取ったものの長さは通常のシートと比して著しく短い。最も長いもので２００ｍ程度であるのに対し、通常のフィルムの巻物では１０００ｍであり格段の差がある。
【０００９】
従って、この場合においても前記長尺シートが比較的短い場合と同様に、紙管の交換頻度が増加し、巻取工程全体の所要時間が増加する。その結果、例えば、長尺シートの製造における全体的なラインスピード（長尺シートの走行速度）を低減せざるを得ず、生産性低下の一因にもなっている。
【００１０】
そこで、これを改善する方法として特許文献１にあるように、長尺シートを九十九折りにすることができる装置が提案されている。
【特許文献１】特開２００５−３４３６２７号公報
【００１１】
図７に示すように、九十九折り装置１は、長尺シート２の長手方向の端部を保持する保持手段３と、長尺シート２をローラ４，５間に通し、長手方向に移動するローラ４，５の位置が入れ換え可能なローラ対６と、長尺シート２の折り返し部８を固定する固定手段７とを有する。
【００１２】
ローラ対６に長尺シート２を有する状態で、前記保持手段３により長尺シート２の端部を保持した後、ローラ対のローラ４，５の位置を入れ換えて、固定手段７で折り返し部を固定した後、ローラ対６を長尺シート２の折り返し端部まで長手方向に移動し、次いで再度ローラ対６のローラ４，５の位置を入れ換えて、固定手段７で折り返し部８を固定した後、ローラ対６を長尺シート２の折り返し端部まで前記移動方向と逆方向に移動することを繰り返すことにより、長尺シート２を九十九折りに積層する。
【００１３】
前記特許文献１の九十九折り装置１によれば、例えば気泡シートのような厚手の長尺シートであっても、九十九折りに積層するので、必要にして十分な長さの長尺シートを、短時間で収容することができる。また、ロール状に巻回して収容する場合と異なり、紙管の交換などが不要であるため、比較的短い長尺シートであっても効率よく収容することができる。
【発明の開示】
【発明が解決しようとする課題】
【００１４】
前記特許文献１の九十九折り装置１は、長尺シート２の長手方向にローラ対６を移動する移動手段が明示されていない。この移動手段は、特に限定されず、公知の方法、好適実施例においては油圧や空気圧で駆動するスライドシリンダーを利用することができるとされているが、その具体的なものは示されていない。
【００１５】
また、ローラ対６の移動速度は、長尺シート２の強度、要求されるラインスピード等に応じて、適宜、決定すればよいとしているが、同期を取る具体的な方法は示されていない。
【００１６】
さらに、ローラ対６を積層方向に昇降するローラ昇降手段を必要とする。このローラ昇降手段は好適実施例においてはエアーテーブルと同様にギア、チェーンの巻きかけ伝動を利用できるとある。
【００１７】
さらに、長尺シートの折り返し部を固定する固定手段７は、長尺シート２の折り返し部８を固定するもので、クランプ９と、エンドレスベルト１１と、エンドレスベルト１１を張架する２つのローラ１２と一方のローラ１２を回転する回転駆動源とからなるクランプ昇降装置１０とからなっている。
【００１８】
このように、前記特許文献１の九十九折り装置１は、ローラ対６の長尺シート２の長手方向の移動と、積層方向の昇降とを、別個の機構手段で行うことを想定しており、機構が複雑となるとともに、同期を確保するのが、きわめて面倒である。
【００１９】
また、長尺シート２の折り返し部８を固定する固定手段７のクランプ昇降装置１０も上下移動のための機構を必要とし、この動きを長尺シート２の折り返しを行うローラ対６の長尺シート２の長手方向の移動と、積層方向の昇降とに同期させなければならず、より、複雑なものとなる。固定手段７での固定は、原反である長尺シート２の両耳をくわえる際に幅が一定でなければならず、不便であり、比較的狭い幅（１２００ｍｍ程度）しかできない。
【００２０】
このような同期の確保の困難性に加えて、全体として応答速度が遅くスピードがあがらない。電気的に往復運動させるので、シーケンスの回路はほとんど高速、マグネットに信号を入れ、マグネットが入ってからモータが加速し所定の速度に達するまでタイムラグがある。また、往復運動なので加速・減速を繰り返すが、正転・逆転を繰り返すたびにマグネットを入れ直さなければならず、そのたびに前記タイムラグが発生するため、スピードがあがらない。
【００２１】
なお、往復運動させるのにエアシリンダを使っても速くはならない。エアシリンダの場合、シーケンスから電磁弁に信号を出すのは早いが、電磁弁が入ってそこからエアが流れて、ある程度力のあるエアシリンダが動くとなると時間がかかり、やはりタイムラグがあるからである。加速・減速の間の制動を速くしても限界がある。
【００２２】
一方、チェーン駆動の場合は、チェーンを高速で正転・逆転させると脱輪が頻発し、やはり応答速度が上がらない。
【００２３】
本発明の目的は前記従来例の不都合を解消し、簡易な機構で、かつ、相互の同期も簡単かつ確実に確保でき、短時間で効率よく、長尺シート、もしくは気泡シートのような厚手の長尺シートを九十九折りして、収容することができるシートの九十九折り装置を提供することにある。
【課題を解決するための手段】
【００２４】
請求項１記載の本発明は前記目的を達成するため、折り返し幅で往復移動するローラを対で設け、この対のローラ間に長尺シートを通過させ、ローラの移動で長尺シートは九十九折りされ、かつ九十九折りされた長尺シートの積層する折り返えし端部を押さえようにしたシートの九十九折り装置において、対のローラは振子に設け、長尺シートの折り返えし端部を押さえる押さえ機構は、長尺シートの左右幅方向に伸びる押え板体と、この板体を跳ね上げる回動軸端の回動アームからなり、回動アームはその端部を振子のローラ設置部に係脱して脱した際に傾倒し、その結果、押え板体が傾倒して長尺シートの折り返えし端部を上から押さえることを要旨とするものである。
【００２５】
請求項１記載の本発明によれば、長尺シートを繰り出す対のローラは振子に設けることで、ローラ自体を横移動させずに、振子の動きだけで長尺シートを効率的に九十九折りすることができる。また、長尺シートの折り返えし端部を押さえる押さえ機構は、長尺シートの左右幅方向に伸びる押え板体を振子のローラ設置部の係脱で操作でき、応答速度が速く、また、簡単かつ確実に同期を取ることができる。
【００２６】
請求項２記載の本発明は、対のローラは振り動く振子アームの先端にこれを設け、振子アームの軸支部の上方にガイドローラを設置することを要旨とするものである。
【００２７】
請求項２記載の本発明によれば、原反である長尺シートは振子アームの軸支部の上方にガイドローラを設置することで、このガイドローラを介して振子アームに沿い、上流から対のローラで吐き出し続けることになり、上から下への流れで、スムーズな折り畳みに移行させることができる。
【発明の効果】
【００２８】
以上述べたように本発明のシートの九十九折り装置によれば、長尺シート、もしくは気泡シートのような厚手の長尺シートを九十九折りして、収容することができるのに、簡易な機構で、かつ、相互の同期も簡単かつ確実に確保でき、短時間で効率よく行えるものである。
【発明を実施するための最良の形態】
【００２９】
以下、図面について本発明の実施の形態を詳細に説明する。図１は本発明のシートの九十九折り装置の１実施形態を示す正面図、図２は同上側面図で、本発明の九十九折り装置１５も前記従来例の、九十九折り装置１と同じく、折り返し幅で往復移動するローラ１６ａ，１６ｂを対で設け、この対のローラ１６ａ，１６ｂ間に長尺シート２を通過させ、ローラ１６ａ，１６ｂの移動で九十九折りされた長尺シート２の積層する折り返えし端部を押さえる手段を設けたものである。
【００３０】
装置全体はフレームで矩形に枠組まれた架台に組み込まれるもので、架台は下部架台１９ａとそれより小振りの上部架台１９ｂとからなる２段組のものである。
【００３１】
対のローラ１６ａ，１６ｂは振り動く振子アーム１７の先端にこれを設ける。該振子アーム１７は上部架台１９ｂから上端を軸支して回動自在に垂下させ、この振子アーム１７の振動機構としては、上部架台１９ｂにギヤモータ２１を設置し、ギヤモータ２１で駆動するプーリ２２でリンクアーム２３を同軸回転させ、リンクアーム２３の偏振回転する先端と振子アーム１７の途中に途中とにリンクポール２０をその端部を軸着して掛け渡した。
【００３２】
図２に示すように、振子アーム１７は上部架台１９の左右に設け、対のローラ１６ａ，１６ｂは上部架台１９ｂを貫通して掛け渡される。
【００３３】
前記振子アーム１７の軸支部１７ａの上方にガイドローラ１８ａ，１８ｂを相互に近接させて対に設置した。このガイドローラ１８ａ，１８ｂは、前記対のローラ１６ａ，１６ｂに平行に設けられる。
【００３４】
前記ローラ１６ａ，１６ｂはその両方とも、もしくはいずれか一方を駆動ローラとし、その駆動機構として、上部架台１９ｂに設置したギヤモータ２４で中間ギヤ２５を回転させ、この中間ギヤ２５とローラ１６ａ，１６ｂのいずれかの軸端の駆動ギヤとをチェーン（図示せず）で連結する。
【００３５】
図中２６は、長尺シート２の折り返えし端部を押さえる押さえ機構であり、上部架台１９ｂに設けるものとして、長尺シート２の左右幅方向に伸びる押え板体２７と、この押え板体２７の回動軸２９端に設けて押え板体２７を跳ね上げる回動軸端の回動アーム２８からなる。
【００３６】
回動アーム２８は先端先細りのものであり、前記振子のローラ１６ａ，１６ｂの設置部に押しバー３０（図示では¬形）を左右に設け、振子のローラ１６ａ，１６ｂが振幅で左右に振れた際に、この押しバー３０を回動アーム２８の先端に係合させる。（図３参照）
【００３７】
押え板体２７は、その長さ方向に稜線２７ａがあるようにくの字の山形に屈曲させ、さらに摩擦や静電気を原因として長尺シート２が付着しないように多数の小孔３２を穿設したパンチング板として構成した。
【００３８】
さらに、図示は省略するが、押え板体２７の回動軸２９と反対側の傾斜部に窓穴を形成し、その部分を切り起こして垂直に立ち上がる起立片を設けてもよい。
【００３９】
図４の３３は、この上に長尺シート２を積層させる昇降テーブルで、該テーブル３３を上下動させる機構としては、ジャッキによるもの、ウインチによるもの等種々考えられるが、本実施形態ではテーブル３３の下に昇降フレーム３４を設け、この昇降フレーム３４を調整ボルト４１を介して昇降アーム４２で支承し、昇降アーム４２をネジシャフトによるリニアーシャフト３５でネジジャッキ駆動するものとした。図中３６はリニアーブッシュ、３７はリニアーホルダーである。調整ボルト４１はテーブル３３の水平調整、高さ調整を行う支持脚である。
【００４０】
前記リニアーシャフト３５は、下部架台１９ａに設けたモータ３８によりラックギヤ３９を介して回転駆動される。図中４０はモータ３８とラックギヤ３９を連結するタイミングベルトである。
【００４１】
また、ローラ１６ａ，１６ｂに対する長尺シート２の付着を防止し、繰り出しをスムーズにするため、図６に示すように、ローラ１６ａ，１６ｂに沿ってエアーパイプ４３を配設し、このエアーパイプ４３から適宜間隔で逆Ｌ字形の噴出ノズル４４をローラ１６ａ及びローラ１６ｂの両側を挟むように突出させ、ローラ１６ａ，１６ｂにエーを吹き掛けるようにする。
【００４２】
この噴出ノズル４４はローラ１６ａ，１６ｂの外周に適宜間隔で設けた溝に入り込み、ローラ１６ａ，１６ｂに近接する。
【００４３】
次に使用法及び動作について説明する。図示は省略するが、原反である長尺シート２はロール状態で、下部架台１９ａまたは上部架台１９ｂまたはその近傍にセットされ、そこから引き出された長尺シート２は振子アーム１７の軸支部１７ａの上方のガイドローラ１８ａ，１８ｂを介して振子アーム１７に沿い、対のローラ１６ａ，１６ｂから吐き出されられる。
【００４４】
該対のローラ１６ａ，１６ｂによる長尺シート２の繰り出しは、ギヤモータ２４の駆動で中間ギヤ２５を介してこれら対のローラ１６ａ，１６ｂを回転させることにより行われる。
【００４５】
テーブル３３は適宜位置に上昇している。
【００４６】
ギヤモータ２１を駆動すれば、リンクポール２０により振子アーム１７が振られ、ローラ１６ａ，１６ｂも同様に円弧を描いて振られる。
【００４７】
その最大の振幅位地では、押しバー３０が回動アーム２８の先端に係合し、これを上方に跳ね上げる（図３参照）。これにより、回動軸２９が回転して押え板体２７も上方に跳ね上げられる。
【００４８】
回動アーム２８が上方に跳ね上げられると、押え板体２７も回動軸２９を中心に跳ね上げられる。
【００４９】
振子のローラ１６ａ，１６が最大振幅になり、反対側に振れて下降し始めると、押しバー３０に当接している回動アーム２８も下降し、さらに、大きく振れると係合状態から脱するようなる。
【００５０】
回動アーム２８の下降は自然落下でもよいが、下部架台１９ａから回動アーム２８に引きバネとしてのコイルバネ３１を取り付け、上方に跳ね上げた回動アーム２８をこのコイルバネ３１の力で積極的に元に戻すようにしてもよい。
【００５１】
回動アーム２８の下降により、押え板体２７も回動軸２９を中心に回転して九十九折りされた長尺シート２の折り返えし端部の上に被さり、この折り返えし端部を上から押さえる。
【００５２】
なお、他の実施形態として、回動アーム２８の下降を振子のローラ１６ａ，１６の折り返しとともに行うのではなく、振子のローラ１６ａ，１６の触れが大きくなることで、押しバー３０を積極的に回動アーム２８から外し、その結果、回動アーム２８が落下することをもってなすようにしてもよい。
【００５３】
長尺シート２はロール状態から引き出され、ガイドローラ１８ａ，１８ｂの間を通過し、ローラ１６ａ，１６ｂに挟まれて繰り出されるが、その際。ローラ１６ａ，１６ｂが振子アーム１７の動きで、往復の振幅運動を行い、左右に振れた一番高い位置での折り返し地点で、長尺シート２は折られ、順次積層される。この積層は昇降するテーブル３３上でなされ、積層高さが増すに応じてテーブル３３を下降させる。
【００５４】
このようにして、本発明の九十九折り装置を用いれば、前述の自動ワインダー装置等により巻物にする場合よりも、より長い気泡シートを九十九折りして収容することができる。
【００５５】
なお、本発明の九十九折り装置に用いられる長尺シートは特に限定されず、従来コイル状に巻き取られていたフィルム、発泡シート、不繊布シート、フラットヤーンクロス、プラスチック気泡シート等を用いることができる。これらの中でも、特に、プラスチック気泡シートを好ましく用いることができる。
【００５６】
以下に九十九折りにすることの利点を述べる。長尺シートを巻物にした場合、環境問題等の観点から、紙管を抜き取ってから販売等しなければならない場合がある。この結果、巻物の巻きが緩んでしまうので客先への運搬時等における荷扱いが困難となってしまう。長尺シートを九十九折りし収容すればこのようなことはなく、荷扱いは容易である。
【００５７】
また、長尺シートを九十九折りしたものを運搬、貯蔵等する場合、その形状（荷姿）が略直方体であるので、巻物と比較して場所の占有率が低い。この結果、運搬、貯蔵等を効率よく行うことができ、コストを低下することができる。
【００５８】
また、長尺シートは等間隔に裁断した後に使用する場合がある。ここで巻物の長尺シートの場合、まず始めに巻きを解きながら長尺シートに等間隔に印を付けなければならない。しかし九十九折りの長尺シートの場合、折り目が等間隔に付くのでこれが印となり、わざわざ印を付ける必要がない。長尺シートの種類によっては折り目が付き難い場合もあるが、その場合であっても九十九折りになっている状態で折り目に印を付ければよく、容易である。
【００５９】
また、長尺シートをある形状に打ち抜いた後に使用する場合がある。この場合、まず始めに長尺シートを何層にも重ねる工程が必要となるが、長尺シートが九十九折りされていれば、この工程を省略することができる。
【図面の簡単な説明】
【００６０】
【図１】本発明のシートの九十九折り装置の１実施形態を示す正面図である。
【図２】本発明のシートの九十九折り装置の１実施形態を示す側面図である。
【図３】本発明のシートの九十九折り装置の１実施形態を示す要部の正面図である。
【図４】本発明のシートの九十九折り装置の１実施形態を示す下部架台部分の説明図である。
【図５】本発明のシートの九十九折り装置の１実施形態を示す押さえ機構の平面図である。
【図６】本発明のシートの九十九折り装置の１実施形態を示す対のローラ部分の説明図である。
【図７】従来例を示す説明図である。
【符号の説明】
【００６１】
１…九十九折り装置                  ２…長尺シート
３…保持手段                        ４，５…ローラ
６…ローラ対                        ７…固定手段
８…折り返し部                      ９…クランプ
１０…クランプ昇降装置              １１…エンドレスベルト
１２…ローラ                        １３…エアーテーブル
１５…九十九折り装置                １６ａ，１６ｂ…ローラ
１７…振子アーム                    １７ａ…軸支部
１８ａ，１８ｂ…ガイドローラ        １９ａ…下部架台
１９ｂ…上部架台                    ２０…リンクポール
２１…ギヤモータ                    ２２…プーリ
２３…リンクアーム                  ２４…ギヤモータ
２５…中間ギヤ                      ２６…押さえ機構
２７…押え板体                      ２７ａ…稜線
２８…回動アーム                    ２９…回動軸
３０…押しバー                      ３１…コイルバネ
３２…小孔                          ３３…テーブル
３４…昇降フレーム                  ３５…リニアーシャフト
３６…リニアーブッシュ              ３７…リニアーホルダー
３８…モータ                        ３９…ラックギヤ
４０…タイミングベルト              ４１…調整ボルト
４２…昇降アーム                    ４３…エアーパイプ
４４…噴出ノズル
【図１】
2009102095.tif 000003
【図２】
2009102095.tif 000004
【図３】
2009102095.tif 000005
【図４】
2009102095.tif 000006
【図５】
2009102095.tif 000007
【図６】
2009102095.tif 000008
【図７】
2009102095.tif 000009